(57)【特許請求の範囲】
【請求項１】
ゴルフ練習用のショット台と、該ショット台を下方の固定部から３点以上で傾動自在に支持する傾動ジャッキと、該傾動ジャッキ頭部に備えられて前記ショット台の傾動を許容するピンジョイントと、前記傾動ジャッキ脚部を支持して前記ショット台の水平方向の移動を許容する自由接続手段と、前記ショット台の中心下部の固定部に備えられた上下スライド用ブッシュ軸と、該上下スライド用ブッシュ軸と前記ショット台との間に備えられてショット台を傾動自在に支持する自由軸受とを備え、更に前記ショット台の内側に下方に突出する凹部を形成し、該凹部に３点以上の内側傾動ジャッキにより傾動自在に支持された内側ショット台を備えたことを特徴とするゴルフ練習台。
【請求項２】
ショット台の近傍に、傾動ジャッキに接続されてショット台の傾斜方向、傾斜角度を選定できる操作盤を備えていることを特徴とする請求項１に記載のゴルフ練習台。
【発明の詳細な説明】
【０００１】
【発明の属する技術分野】
本発明は、斜面ショットの練習が可能なゴルフ練習台に関するものである。
【０００２】
【従来の技術】
ゴルフの愛好家の殆どは、ゴルフ練習場に通ってボールを実際に打つことにより、ゴルフコースでのプレーを想定した練習を行っている。
【０００３】
一般のゴルフ練習場は、平坦な固定床面上を複数の打席に区画した構成を有しており、通常、各打席における使用者がスタンスを取る位置にはゴムマットが敷かれており、更にボールを置く位置にはゴム製のティーを通す穴を形成した人工芝マットが備えてあり、また、人工芝マットの前方にはボール供給装置を備えている場合もある。
【０００４】
打席の使用者は、人工芝マット上或いは穴に通したゴム製のティー上にボールを置き、ゴムマット上にスタンスをとって、所要のクラブでボールをヒットすることによりショットの練習を行う。
【０００５】
【発明が解決しようとする課題】
一方、通常のゴルフコースの殆どは、地形の起伏を利用したものとなっているためにアンジュレーションを有しており、このためにショットしたボールが落下して止った位置から次のウッド或いはアイアンによるショットを行う際に、爪先下がり、爪先上がり、左足下がり、左足上がりといった平坦面でのショットとは異なる状況でのショット、即ち斜面ショットが必要になってくる。
【０００６】
例えば爪先下がりの場合はスライスボールが出やすく、爪先上がりの場合はフックボールが出やすく、また左足下がりの場合はボールが上がりにくく、左足上がりの場合はボールが上がって距離が出にくい現象がある。このため、プレーヤーは、爪先下がり、爪先上がり、左足下がり、左足上がりといった状況に応じて、スタンスの位置やクラブの選択等を経験と感で調節しながら対処している。またパターによるショットの場合も、傾斜に応じてパッティングの方向と強弱の調節を行うようにしている。
【０００７】
従って、ゴルフコースと同じように傾斜面でのショットの練習をゴルフ練習場でしたいという希望は殆どのゴルファーが持っているが、通常のゴルフ練習場では前記したように打席が固定の平坦面となっているために、平坦面以外の斜面ショットの練習を行うことはできない。
【０００８】
また、従来の練習用パターグリーンの場合も同様に傾斜面に対処するためのパッティング練習を行うが、自在の傾斜を持たせることはできない。
【０００９】
本発明は、斯かる従来の問題点を解決すべくなしたもので、爪先下がり、爪先上がり、左足下がり、左足上がり等の斜面ショットの練習を自由に行うことのできるゴルフ練習台を提供することを目的としている。
【００１０】
【課題を解決するための手段】
請求項１に記載の発明は、ゴルフ練習用のショット台と、該ショット台を下方の固定部から３点以上で傾動自在に支持する傾動ジャッキと、該傾動ジャッキ頭部に備えられて前記ショット台の傾動を許容するピンジョイントと、前記傾動ジャッキ脚部を支持して前記ショット台の水平方向の移動を許容する自由接続手段と、前記ショット台の中心下部の固定部に備えられた上下スライド用ブッシュ軸と、該上下スライド用ブッシュ軸と前記ショット台との間に備えられてショット台を傾動自在に支持する自由軸受とを備え、更に前記ショット台の内側に下方に突出する凹部を形成し、該凹部に３点以上の内側傾動ジャッキにより傾動自在に支持された内側ショット台を備えたことを特徴とするゴルフ練習台、に係るものである。
【００１３】
請求項２に記載の発明は、ショット台の近傍に、傾動ジャッキに接続されてショット台の傾斜方向、傾斜角度を選定できる操作盤を備えていることを特徴とする請求項１に記載のゴルフ練習台、に係るものである。
【００１４】
請求項１に記載の発明では、傾動ジャッキによりショット台を任意に傾動させ得るようにしているので、爪先下がり、爪先上がり、左足下がり、左足上がり等の斜面ショットの練習を容易且つ効率的に行うことができる。更に、前記ショット台の内側に内側ショット台を備えているので、大角度の斜面ショットを練習する際に、ショット台と内側ショット台とによって傾斜角度を分散させることにより、固定床とショット台との間、及びショット台と内側ショット台との間の段差を小さくして乗り移りを容易、安全なものとすることができる。
【００１６】
請求項２に記載の発明では、操作盤の操作によってショット台及び内側ショット台の傾斜方向、傾斜角度を容易に設定できる。
【００１７】
【発明の実施の形態】
以下、本発明の実施の形態を、図示例と共に説明する。
【００１８】
図１〜図３は、本発明を適用するゴルフ練習台の基本的な構成の一例を示したもので、ゴルフ練習用のショット台１が、下方の固定部２において平面三角形の頂点に位置するように設けた傾動ジャッキ３により傾動自在に支持されている。
【００１９】
前記傾動ジャッキ３は、固定部２に備えたモータ４により昇降するジャッキ軸５を備えており、該ジャッキ軸５の上端にはショット台１の傾動を許容するためのピンジョイント６を備えている。更に、傾動ジャッキ３と固定部２との間には、ショット台１の傾動によるピンジョイント６相互の水平方向の間隔の変化を許容するように傾動ジャッキ３を支持するスプリング７等からなる自由接続手段を設けている。
【００２０】
更に、前記ショット台１の中心部と、下部の固定部２との間には、前記ショット台１の昇降は許容するが、水平方向の移動と回転とを規制するようにしたセンター支柱１１が備えられている。
【００２１】
センター支柱１１は、固定部２上に鉛直に固定された複数（図３では４本）の上下スライド用ブッシュ軸１２と、該上下スライド用ブッシュ軸１２に沿って昇降が可能な昇降ブロック１３と、該昇降ブロック１３と前記ショット台１との間に備えられて前記ショット台１を傾動自在に支持する十字式軸受１４等からなる自由軸受とを備えている。
【００２２】
十字式軸受１４等からなる自由軸受は、図３に示すように、直交したＸ方向軸１５ａとＹ方向軸１５ｂを有する十字軸１５の前記Ｘ方向軸１５ａを、軸受１６により昇降ブロック１３上にＡ方向に回動可能に取付け、またＹ方向軸１５ｂを、軸受１７によりショット台１の下面に取付けてショット台１をＢ方向に回動可能にしている。
【００２３】
従って、前記センター支柱１１によれば、傾動ジャッキ３の伸縮によりショット台１を傾動させた際に、ショット台１が水平方向に移動したり、回転しないようになっている。
【００２４】
前記ショット台１上の使用者がスタンスを取る位置には、ゴムマット１８が敷かれており、更にボールを置く位置にはゴム製のティーを通す穴１９を形成した人工芝マット２０が備えてある。
【００２５】
更に、ショット台１の外周には、前記ショット台１と略同一高さを有している固定床２１が設けられており、使用者は固定床２１からショット台１上に移動してショットの練習を行うようになっている。また、前記ショット台１の周縁とそれに対向する固定床２１の下部には、ショット台１と固定床２１との間での噛み込みを防止するための噛み込み防止板２２が備えられている。
【００２６】
更に、図２に示すように、前記ショット台１に近い固定床２１上等には、前記傾動ジャッキ３を作動させて、爪先下がり、爪先上がり、左足下がり、左足上がり、或いはそれ等の複合した斜面ショットの練習を行う際に、ショット台１の傾斜方向、傾斜角度を指示するようにした操作盤２３が備えてあり、該操作盤２３は、ボタン操作等によって斜面ショットの傾斜方向や傾斜角度が段階的に選定できるようになっていることが好ましい。
【００２８】
図１に実線で示すように、ショット台１を水平な状態にしておけば、ゴム製のティー或いは人工芝マット２０の上にボールを置き、ゴムマット１８上にスタンスを取ることにより、従来と同様の水平面でのショットの練習を行うことができる。
【００２９】
爪先下がり、爪先上がり、左足下がり、左足上がり等の斜面ショットを練習する場合には、操作盤２３を操作して、ショット台１を所定の方向に所定の角度で傾斜させる。
【００３０】
例えば図１の仮想線のように前下がりに傾斜させた場合には、前下がりの斜面ショットを練習することができる。この時、ショット台１の傾斜によって人工芝マット２０上に安定してボールが停止しない場合には、人工芝マット２０に、図２に示すような縦横の小さい溝２０’を形成するなどの方法を採用することができる。
【００３１】
又、上記したようにショット台１を傾動させる時、固定床２１よりショット台１の方が沈み込むと、段差によって打ったボールが跳ね返る虞れがあるので、必ずショット台１の打球方向が固定床２１に対して同一レベル以上になるように傾動制御させる。
【００３２】
前記ショット台１は、３点に備えた傾動ジャッキ３にて傾動を行わせるようになっているので、簡単な制御によってショット台１を任意に傾動させることができ、また傾動ジャッキ３にはピンジョイント６を備えているので、ショット台１の傾動に追随することができ、更に傾動ジャッキ３と固定部２との間にスプリング７を備えているので、傾動ジャッキ３の伸縮によってショット台１を傾動させる際にピンジョイント６間の距離が変化しても、傾動ジャッキ３がスプリング７等からなる自由接続手段にて傾動することにより許容することができる。
【００３３】
この時、ショット台１の中心部がセンター支柱１１によって支持されているので、前記ショット台１が水平方向に移動したり、回転したりすることが防止される。センター支柱１１は、傾動ジャッキ３の伸縮によってショット台１が上下に移動すると、上下スライド用ブッシュ軸１２により追従して昇降ブロック１３が昇降し、又ショット台１の傾動に対しては十字式軸受１４等からなる自由継手により自由に追随することができる。
【００３４】
図４〜図６は、前記図１の基本的な構成に適用する本発明の形態の一例を示したもので、前記図１及び図２と同様に構成されたショット台１の中央部に、下方に突出するように凹部２４を形成し、該凹部２４内に、前記傾動ジャッキ３と同様の構成を有した内側傾動ジャッキ２５により３点を支持すると共に、前記センター支柱１１と同様の上部センター支柱２６により傾動自在に支持された内側ショット台２７を備えている。
【００３５】
図４〜図６の形態例によれば、例えば図６に示すように１０゜の前下がりの斜面ショットを練習する際に、ショット台１を３゜傾斜させ、内側ショット台２７をショット台１に対して７゜傾斜させることによって計１０゜の傾きとすることかでき、従ってこのようにショット台１と内側ショット台２７により傾斜角度を分散させることにより、斜面ショットの際の段差を小さくして乗り移りを容易、安全なものとすることができる。
【００３６】
また外側のショット台１は大形になることから、この台上ではパッティングの練習も可能となる。また上記した装置をスクリーンのゴルフコース映像に向って行うゴルフプレーシュミレーションゲームと連動させることで、ゴルフ場でのプレーをより良く模擬したプレーも可能となる。
【００３７】
尚、本発明は上記実施の形態例に示したものに限定されるものではなく、傾動ジャッキ３は３点以上の任意の数とすることができること、ショット台１及び内側ショット台２７の形状は、矩形或いは円形等の種々の形状とすることができること、その他本発明の要旨を逸脱しない範囲内において種々変更を加え得ること、等は勿論である。
【００３８】
【発明の効果】
請求項１に記載の発明によれば、傾動ジャッキによりショット台を任意に傾動させることができるので、爪先下がり、爪先上がり、左足下がり、左足上がり等の斜面ショットの練習を容易且つ効率的に行うことができる効果がある。またパターについても自由自在な傾斜が得られるので、傾斜に応じたパットの練習を行うことができる。更に、前記ショット台の内側に内側ショット台を備えているので、大角度の斜面ショットを練習する際に、ショット台と内側ショット台とによって傾斜角度を分散させることにより、固定床とショット台との間、及びショット台と内側ショット台との間の段差を小さくして乗り移りを容易、安全なものとすることができる効果がある。
【００４０】
請求項２に記載の発明によれば、操作盤の操作によってショット台及び内側ショット台の傾斜方向、傾斜角度を容易に設定できる効果がある。
【図面の簡単な説明】
【図１】  本発明を適用するゴルフ練習台の基本的な構成の一例を示す一部切断側面図である。
【図２】  図１の平面図である。
【図３】  図１のセンター支柱の構成を示す斜視図である。
【図４】  図１の基本的な構成に適用する本発明の形態の一例を示す切断側面図である。
【図５】  図４の平面図である。
【図６】  図４の形態例におけるショット台の傾斜例を示す概略図である。
【符号の説明】
１          ショット台
２          固定部
３          傾動ジャッキ
６          ピンジョイント
７          スプリング（自由接続手段）
１２          上下スライド用ブッシュ軸
１４          十字式軸受（自由軸受）
２３          操作盤
２５          内側傾動ジャッキ
２７          内側ショット台
【図１】
0004033956.tif 000002
【図２】
0004033956.tif 000003
【図３】
0004033956.tif 000004
【図４】
0004033956.tif 000005
【図５】
0004033956.tif 000006
【図６】
0004033956.tif 000007